(57)【特許請求の範囲】
【請求項１】
外郭を構成するボデーと、前記ボデー上部の上枠と、前記上枠の中央開口部にある液体を収容する容器と、前記容器上方の蓋体と、前記ボデーの下部に設けられた給電部とを備えていて、前記ボデー外周より外側に位置し前記蓋体を装着する上枠ヒンジ部の最後端に前記上枠上端面より下方に一部を切り欠いた形状の切り欠き部を設け、溢水時に液体を器体外部に前記切り欠き部から前記ボデーに接することなく排水されるようにした電気湯沸かし器。
【発明の詳細な説明】
【０００１】
【発明の属する技術分野】
本発明は、容器内に収容した液体を加熱・保温し、本体外部へ導出する電気湯沸かし器に関するものである。
【０００２】
【従来の技術】
従来、この種の電気湯沸かし器は、図８に示すようなものがあった。以下にその従来例の電気湯沸かし器の構造を詳述する。
【０００３】
図８において、１０１は外郭を構成するボデーで、ボデー１０１上部には上枠１０２が載置され、前記上枠１０２の中央開口部には液体１０４を収容する容器１０３と、前記容器１０３の上方に蓋体１０５を設け、前記ボデー１０１の下部に給電部があり、上枠上端面１０２ａは全周同一高さであった。
【０００４】
従って、上記従来の構成では、蓋体１０５を開け給水を行うときに何らかの都合で上枠１０２の上面を超え溢水させた場合に、上枠１０２の上面のあらゆる位置から溢水する可能性が有り、溢水した液体が給電部にかかる可能性があった。
【０００５】
【発明が解決しようとする課題】
本発明は上記従来の問題点に鑑み、上枠から溢水しても給電部には溢水した液体が付着しない電気湯沸かし器を提供することを目的とする。
【０００６】
【課題を解決するための手段】
上記課題を解決するために本発明は、外郭を構成するボデーと、ボデー上部の上枠と、前記上枠の中央開口部にある液体を収容する容器と、前記容器上方の蓋体を備えていて、前記ボデー外周より外側に位置し前記蓋体を装着する上枠ヒンジ部の最後端に前記上枠上端面より下方に一部を切り欠いた形状の切り欠き部を設け、溢水時に液体を器体外部に前記切り欠き部から前記ボデーに接することなく排水されることとした。この構成により溢水時は液体を器体外部に切り欠き部からボデーに接することなく排水され、給電部へ溢出液体が流出することがないようにすることができる
【０００７】
【発明の実施の形態】
本発明の目的は請求項に記載した構成を実施の形態とすることにより達成できるので、その構成による作用効果を以下に詳述して発明の実施の形態を説明する。
【０００８】
請求項１に記載の発明は、外郭を構成するボデーと、前記ボデー上部の上枠と、前記上枠の中央開口部にある液体を収容する容器と、前記容器上方の蓋体と、前記ボデーの下部に設けられた給電部とを備えていて、前記ボデー外周より外側に位置し前記蓋体を装着する上枠ヒンジ部の最後端に前記上枠上端面より下方に一部を切り欠いた形状の切り欠き部を設け、溢水時に液体を器体外部に前記切り欠き部から前記ボデーに接することなく排水される構成とすることにより、溢水時は液体を器体外部に切り欠き部からボデーに接することなく排水され、給電部へ溢出液体が流出することがない。
【０００９】
【実施例】
以下、本発明の実施例及び参考例について、図１〜図７を参照しながら説明する。本実施例及び参考例の特徴的構成は給水時における溢水位置に関するものである。
【００１０】
（参考例１）
図１〜３において、外郭を構成するボデー１と、ボデー１上部には上枠２が載置され、前記上枠２の中央開口部には液体３を収容する容器４と、容器４の上方に蓋体５を設け、前記上枠２には上枠上端面２ａより給電部６の上方以外の器体外部に溢出液体が流出する開口を有する貫通孔７を設けている。
【００１１】
上枠上端面２ａは、容器取付部２ｂの上端面より上に位置し、かつ操作部８より下方に位置していて、しかも蓋体取付部２ｃより下方に位置している。そして略水平面であり、蓋体５の外形形状と対峙した面となっている。
【００１２】
給電部６の上方とは給電部６の幅で鉛直方向にある範囲を意味する。
【００１３】
貫通孔７は、蓋体５の外形より一端開口７ａを容器４の中心に対して内側に、他の一端開口７ｂを外側に設け、上枠上端面２ａより下方に前記一端開口７ａと他端開口７ｂとを設けたものである。
【００１４】
以上のように構成された電気湯沸かし器において、溢水時に液体が上枠上端面２ａより器体外部に流出するよりも早く貫通孔７から給電部６の上方以外の位置より排水することになり、従って給電部６へ溢出液体が流出することがない。
【００１５】
（参考例２）
図１〜３において、上枠２には上枠上端面２ａより下方に一端が給電部６に対して器体中心線の対称位置で器体外部に通じる貫通孔７を設けたものである。
【００１６】
器体の中心線とは長手方向及び幅方向を示す線であり、この場合いずれの中心線でもかまわない。
【００１７】
これにより、溢水時は液体を器体外部に貫通孔７から給電部６に対して器体中心線の対称位置より排水され、給電部６へ溢出液体が流出することがない。
【００１８】
（参考例３）
図１，２，４において、貫通孔７をボデー１外周より外側に位置する上枠ヒンジ部２ｄに設けたものである。
【００１９】
上枠ヒンジ部２ｄは上枠２の最後端に位置し、上枠上端面２ａと同一もしくはそれ以下の高さであり蓋体取付部より下方に位置し、外周形状はリブ状に形成されている。
【００２０】
貫通孔７の一端は上枠ヒンジ部２ｄの外周リブの内側でかつ下方で容器４より上方に位置している。
【００２１】
これにより、溢水時は液体を器体外部に貫通孔７からボデー１に接することなく排水され、給電部へ液体が流出することがない。
【００２２】
（参考例４）
図１，２，５，６において、外郭を構成するボデー１と、ボデー１上部には上枠２が載置され、前記上枠２の中央開口部には液体３を収容する容器４と、容器４上方に蓋体５を設け、前記上枠２には給電部６に対して器体中心線の対称位置に上枠上端面２ａより下方に切り欠き部２ｅを設けたものである。
【００２３】
なお、本参考例において蓋体５の外形形状は上枠上端面２ａの切り欠いた形状に平行な形状にすることで、上枠２と蓋体５の隙間を一定にできる。
【００２４】
これにより、溢水時は液体を器体外部に切り欠き部２ｅから排水し、給電部６へ溢出液体が流出することがない。
【００２５】
（実施例１）
図１，２，７において、外郭を構成するボデー１と、ボデー１上部には上枠２が載置され、前記上枠２の中央開口部には液体３を収容する容器４と、容器４上方に蓋体を設け、ボデー１外周より外側に位置する上枠ヒンジ部２ｄの最後端に上枠上端面２ａより下方に切り欠き部２ｅを設けたものである。
【００２６】
上枠ヒンジ部２ｄは上枠上端面２ａと同一もしくはそれ以下の高さであり蓋体取付部より下方に位置し、外周形状はリブ状に形成されている。
【００２７】
これにより、溢水時は液体を器体外部に切り欠き部２ｅからボデー１に接することなく排水され、給電部６へ溢出液体が流出することがない。
【００２８】
【発明の効果】
以上のように、本発明によれば、溢水時に液体が器体外部に切り欠き部からボデーに接することなく排水され、給電部へ溢出液体が流出することを確実に防止できる。
【図面の簡単な説明】
【図１】本発明の実施例及び参考例を示す電気湯沸かし器の概略図
【図２】本発明の実施例及び参考例を示す電気湯沸かし器の平面図
【図３】本発明の参考例１〜２における電気湯沸かし器の要部詳細図
【図４】本発明の参考例３における電気湯沸かし器の要部詳細図
【図５】本発明の参考例４における電気湯沸かし器の概略図
【図６】同電気湯沸かし器の要部詳細図
【図７】本発明の実施例１における電気湯沸かし器の要部詳細図
【図８】従来例における電気湯沸かし器の概略図
【符号の説明】
１  ボデー
２  上枠
２ａ  上枠上端面
２ｂ  容器取付部
２ｃ  蓋体取付部
２ｄ  上枠ヒンジ部
２ｅ  切り欠き部
３  液体
４  容器
５  蓋体
６  給電部
７  貫通孔
７ａ  一端開口
７ｂ  他端開口
１８  操作部
【図１】
0003596491.tif 000002
【図２】
0003596491.tif 000003
【図３】
0003596491.tif 000004
【図４】
0003596491.tif 000005
【図５】
0003596491.tif 000006
【図６】
0003596491.tif 000007
【図７】
0003596491.tif 000008
【図８】
0003596491.tif 000009